(57)【要約】【課題】複数の薬剤を薬剤容器に混合して患者に投与する際に、混合後の薬剤容器の内容を確認可能なＩＣタグの利用方法を提供する。【解決手段】予め定められた調剤指示情報に基づいて、複数の薬剤を１つの薬剤容器に混合する薬剤混合工程と、複数の薬剤のそれぞれについて、その薬剤を特定する薬剤情報を取得する薬剤情報取得工程と、取得した薬剤情報を、薬剤容器に貼付されたＩＣタグに書き込む薬剤情報書込工程と、を含むことを特徴とする。【選択図】図１
2011070429.tif 000002
【特許請求の範囲】
【請求項１】
予め定められた調剤指示情報に基づいて、複数の薬剤を１つの薬剤容器に混合する薬剤混合工程と、
前記複数の薬剤のそれぞれについて、その薬剤を特定する薬剤情報を取得する薬剤情報取得工程と、
取得した前記薬剤情報を、前記薬剤容器に貼付されたＩＣタグに書き込む薬剤情報書込工程と、
を含むことを特徴とするＩＣタグの利用方法。
【請求項２】
前記複数の薬剤が処方される患者の情報を取得する患者情報取得工程を備え、
前記薬剤情報書込工程において、前記患者情報を前記薬剤情報に関連付けて前記ＩＣタグに書き込む請求項１に記載のＩＣタグの利用方法。
【請求項３】
前記薬剤情報は、該薬剤の品番，製品名，内容量，製造年月日，および使用期限のうちの少なくとも１つを含む請求項１または請求項２に記載のＩＣタグの利用方法。
【請求項４】
前記ＩＣタグに書き込まれた前記薬剤情報を読み出す薬剤情報読出工程と、
読み出した前記薬剤情報と前記調剤指示情報とを照合する照合工程と、
を含む請求項１ないし請求項３のいずれか１項に記載のＩＣタグの利用方法。
【請求項５】
前記複数の薬剤のうち少なくとも1つは、薬液である請求項１ないし請求項４のいずれか１項に記載のＩＣタグの利用方法。
【請求項６】
前記混合された薬剤は、輸液用，内服用，および外用のいずれかに用いられる請求項１ないし請求項５のいずれか１項に記載のＩＣタグの利用方法。
【発明の詳細な説明】
【技術分野】
【０００１】
本発明は、ＩＣタグの利用方法に関する。
【背景技術】
【０００２】
無線ＩＣタグ（ＲＦＩＤタグともいう）は、バーコードと比較し、情報の書込みと読出しが可能で、かつ、大量の情報を扱うことができるため、商品の販売管理などに利用されつつある。
【０００３】
消化器手術等の術後の患者は、経口摂取ができない場合が多いため、患者の栄養管理は、一般に中心静脈投与用の高カロリー輸液（ＩＶＨ）により行われている。ＩＶＨでは、通常、栄養源である糖質、アミノ酸、及び電解質が投与されるが、例えばブドウ糖とアミノ酸とを同一の容器に収納して保存すると、いわゆるメイラード反応によって混合液が褐変するため、これらは別々に収納しておく必要がある。そのため、これらの薬剤を個別に収納する輸液バッグが近年普及している（特許文献１参照）。
【先行技術文献】
【特許文献】
【０００４】
【特許文献１】特開２００８−２１２５５２号公報
【発明の概要】
【発明が解決しようとする課題】
【０００５】
複数の薬剤を１つの薬剤容器に混合して患者に投与する場合、安全性確保の点からも、容器の中身（薬剤名，用量等の薬剤情報）を明らかにしておく必要がある。この場合、混合後の薬剤容器のラベルに各薬剤情報を転記することになるが、薬剤の容器にはバーコードラベルが貼着されていることが多く、転記は人手で行うため、転記ミスの発生は避けられない。
【０００６】
また、ＲＦＩＤタグが貼着された薬剤の容器もあるが、単にバーコードを置き換えたものが多く、用途も在庫管理にとどまっていることが多い。
【０００７】
上記問題を背景として、本発明の課題は、複数の薬剤を薬剤容器に混合して患者に投与する際に、混合後の薬剤容器の内容を確認可能なＩＣタグの利用方法を提供することにある。
【課題を解決するための手段及び発明の効果】
【０００８】
上記の課題を解決するために、本発明のＩＣタグの利用方法は、予め定められた調剤指示情報に基づいて、複数の薬剤を１つの薬剤容器に混合する薬剤混合工程と、複数の薬剤のそれぞれについて、その薬剤を特定する薬剤情報を取得する薬剤情報取得工程と、取得した薬剤情報を、薬剤容器に貼付されたＩＣタグに書き込む薬剤情報書込工程と、を含むことを特徴とする。
【０００９】
上記構成によって、各薬剤が混合された後でも混合された薬剤の内容を確認することができる。また、各薬剤に貼着されたバーコードの読み取り→混合用の薬剤容器に貼着されたＩＣタグへの書き込み、という手順をとるので、転記ミスの発生を避けることができる。
【００１０】
また、本発明のＩＣタグの利用方法は、複数の薬剤が処方される患者の情報を取得する患者情報取得工程を備え、薬剤情報書込工程において、患者情報を薬剤情報に関連付けてＩＣタグに書き込む。
【００１１】
上記構成によって、薬剤情報に加えて、その薬剤が処方される患者の情報も確認することができ、薬剤や患者の取り違えを防止することができる。
【００１２】
また、本発明のＩＣタグの利用方法における薬剤情報は、該薬剤の品番，製品名，内容量，製造年月日，および使用期限のうちの少なくとも１つを含む。
【００１３】
上記構成によって、各薬剤が混合された後でも各薬剤についての情報を確認することができる。
【００１４】
また、本発明のＩＣタグの利用方法は、ＩＣタグに書き込まれた薬剤情報を読み出す薬剤情報読出工程と、読み出した薬剤情報と調剤指示情報とを照合する照合工程と、を含む。
【００１５】
上記構成によって、ＩＣタグの書き込み機能を利用して、混合された薬剤の内容と投与指示内容との確認を行うことができ、医療安全の向上を図ることができる。
【００１６】
また、本発明のＩＣタグの利用方法における複数の薬剤のうち少なくとも1つは、薬液である。
【００１７】
上記構成によって、錠剤や粒状の薬剤も混合することができ、１つの薬液として投与することができるため、投与の回数や手間を省くこともできる。
【００１８】
また、本発明のＩＣタグの利用方法における混合された薬剤は、輸液用，内服用，および外用のいずれかに用いられる。
【００１９】
上記構成によって、幅広い処方に対応することができる。
【図面の簡単な説明】
【００２０】
【図１】ＩＣタグの利用方法の概念を表した模式図。
【図２】各種情報の入力，照合に用いる機器の構成例を示す図。
【図３】薬剤情報読出書込処理を説明するフロー図。
【図４】薬剤情報読出書込処理実行時の表示例を示す図。
【図５】ホストコンピュータの薬剤データベースにおける薬剤情報の記憶例を示す図。
【図６】ＩＣタグの記憶部における薬剤情報の記憶例を示す図。
【図７】ＩＣタグの記憶部における患者情報の記憶例を示す図。
【図８】薬剤情報照合処理を説明するフロー図。
【発明を実施するための形態】
【００２１】
以下、本発明の実施形態を、図面を参照しながら説明する。図１に、本発明に係るＩＣタグの利用方法の概念を表した模式図を示す。ＩＣタグの利用方法は、以下のような構成をとる。まず、薬剤が収容されたアンプル型容器１、蓋付きの円筒状容器２，３等から、予め定められた調剤指示情報に基づいて、各薬剤を薬剤容器４に混注（混合して注入）する。そして、これら容器１，２，３に貼着されているラベルに印刷されたバーコード１ａ，２ａ，３ａを読み取り、その内容を周知のＲＦＩＤタグであるＩＣタグ４０に書き込む。
【００２２】
上述の容器１，２，３に収容されている薬剤は、薬液が主であるが、この薬液に溶解可能であれば、錠剤や粒状の薬剤を用いてもよい。また、輸液用あるいは外用の他に、内服用とするときには、全て錠剤や粒状の薬剤を用いてもよい。
【００２３】
薬剤容器４は、例えば点滴に用いる輸液用容器として構成され、吊り下げ部４ｂ，薬液流出口４ｃ，および薬液流出口４ｃを覆う蓋４ｄを含んでいる。無論、薬剤容器４は、蓋付きの円筒状容器やチューブ型容器であってもよい。また、薬剤容器４の例えば側面に貼着された表示ラベル４ａあるいは外側の表面には、ＩＣタグ４０が貼着されている。
【００２４】
図２に、各種情報の入力，照合に用いる機器の構成例を示す。図２の例では、通信可能にネットワーク接続された端末１０およびホストコンピュータ２０を主な要素として構成されている。
【００２５】
端末１０は、例えばパーソナルコンピュータとして構成され、ＬＣＤ表示器等の表示部１０ａ，キーボード等の入力部１０ｂ，ハードディスク装置（ＨＤＤ）１０ｃ等の記憶媒体，およびこれらを制御する制御部１０ｄを含む。ＰＤＡ（Personal  Digital  Assistant：携帯情報端末）のような他の情報通信端末を用いてもよい。また、端末１０には、バーコード読取部１１，患者情報読取部１２，ＲＦＩＤリーダ／ライタ１３が接続されている。
【００２６】
バーコード読取部１１は、周知のバーコードリーダを含んで構成され、上述の容器１，２，３に貼着されているラベルに印刷された（各容器に直に印刷されていてもよい）バーコード１ａ，２ａ，３ａを読み取り、端末１０のＨＤＤ１０ｃで一時記憶する。
【００２７】
患者情報読取部１２は、例えば磁気カードリーダ，ＩＣカードリーダ，あるいはカルテに貼付されたバーコードの内容を読み取るバーコードリーダのうちの１つ以上を含んで構成される。近年、診察券やカルテの電子化が進み、磁気カードやＩＣカードに患者の氏名等が記憶されている。また、バーコードは、診察券やカルテに印刷され、患者を特定できるようになっている。これら磁気カード，ＩＣカード，バーコードの情報（すなわち患者情報）を読み取って、端末１０のＨＤＤ１０ｃで一時記憶する。また、端末１０の入力部１０ｂから患者情報を入力してもよい。
【００２８】
読み取った患者情報を基に、端末１０で所定の操作を行うことで、端末１０，ホストコンピュータ２０あるいは他の情報処理装置に含まれる患者情報データベースを検索し、その検索結果を患者情報に含めてもよい。この方法で、磁気カード，ＩＣカード，バーコードには患者の氏名のみしか記憶されてない場合でも、ホストコンピュータ２０から治療に必要な情報（付加情報）を取得して、患者情報に含めることができる。また、電子化された診察券には、患者の氏名の他に、身長，体重，血液型，病歴等の情報も記憶されるようになりつつある。これらの情報を付加情報として読み取って患者情報に含めてもよい。
【００２９】
なお、患者情報は、カルテ番号や診察券番号のみでも患者を特定するためには十分であるが、上述の付加情報が含まれている方がより正確に患者を特定することができる。
【００３０】
ＲＦＩＤリーダ／ライタ１３は、薬剤容器４に貼付されるＩＣタグ４０との間でデータ通信を行うためのもので、図示しない周知のＲＦＩＤ通信部（送信部／受信部），全体を制御する制御部，端末１０とのデータの遣り取りを行う通信Ｉ／Ｆ（インターフェース）を含んで構成される。
【００３１】
ＩＣタグ４０は、周知のＩＣチップ４１およびアンテナ等の周辺回路（図示せず）を含んで構成される。ＩＣチップ４１には、動作を制御する制御部４１ａや、ＩＣチップ４１に割り当てられたユニークコードや後述するＩＣタグ情報等を記憶する記憶部４１ｂを含んでいる。
【００３２】
ＩＣタグ４０は、ＲＦＩＤリーダ／ライタ１３からの電波の照射を受けると、その電波のエネルギーが電気エネルギーに変換されて制御部４１ａが動作し、ＲＦＩＤリーダ／ライタ１３からの電波に含まれる制御指令に基づいて、記憶部４１ｂからＩＣタグ情報のような所定の情報を読み出してＲＦＩＤリーダ／ライタ１３へ送信する。また、ＲＦＩＤリーダ／ライタ１３からの電波に含まれる制御指令に基づいて、制御部４１ａがＲＦＩＤリーダ／ライタ１３から送信されてきたデータを記憶部４１ｂに書き込む。
【００３３】
ホストコンピュータ２０は、周知のパーソナルコンピュータあるいはワークステーションとして構成され、ＨＤＤ等の記憶媒体にデータベース（ＤＢ）２１が構築されている。
【００３４】
ホストコンピュータ２０と端末１０とは、ネットワーク接続されていれば、設置位置に制約はない。例えば、コンピュータルームのような施設にホストコンピュータ２０が設置され、薬剤を混注する施設および混注された薬剤を使用する施設（病室等）に端末１０が設置される。また、端末１０のＨＤＤ１０ｃにＤＢ２１と同等のデータベースを構築してもよい。
【００３５】
本発明の構成においては、まず、カルテあるいは処方箋に記載あるいは記憶された調剤指示情報に基づいて、上述の容器１，２，３に収容されている薬剤を薬剤容器４に混注する（本発明の薬剤混合工程に相当）。
【００３６】
図３を用いて、上述の容器１，２，３に貼着されているラベルに印刷されたバーコード１ａ，２ａ，３ａを読み取り、ＩＣタグ４０のＩＣチップ４１に書き込む薬剤情報読出書込処理について説明する。なお、本処理は、端末１０のＨＤＤ１０ｃに記憶されたアプリケーションプログラムに含まれ、制御部１０ｄにより実行される。
【００３７】
まず、患者情報読取部１２から、上述のような方法で患者情報を取得する（Ｓ１１，本発明の患者情報取得工程に相当）。取得した患者情報は、ＨＤＤ１０ｃに一時記憶する。患者情報を表示部１０ａに表示してもよい。
【００３８】
次に、バーコード読取部１１から、上述のバーコード１ａ，２ａ，３ａを読み取り、そのバーコード番号を基にホストコンピュータ２０のＤＢ２１に含まれる薬剤データベースを検索し、各薬剤の薬剤情報を取得する（Ｓ１２，本発明の薬剤情報取得工程に相当）。薬剤データベースを構築せず、バーコード番号のみを薬剤情報として取得する構成でもよい。取得した薬剤情報は、ＨＤＤ１０ｃに一時記憶する。薬剤情報を表示部１０ａに表示してもよい。
【００３９】
患者情報および全ての薬剤情報を取得すると（Ｓ１３：Ｙｅｓ）、端末１０の表示部１０ａに図４のような画面が表示される。ここで、「登録」ボタンをクリックすると、患者情報および全ての薬剤情報を、ＲＦＩＤリーダ／ライタ１３により、薬剤容器４０に貼付されたＩＣタグ４０のＩＣチップ４１に含まれる記憶部４１ｂに書き込む（Ｓ１４，本発明の薬剤情報書込工程に相当）。
【００４０】
図４に、薬剤情報読出書込処理実行時の端末１０の表示部１０ａにおける表示画面例を示す。患者番号（患者情報を取得可能な構成の場合）と、混注した薬剤の内訳が表示されている。この画面上で、「修正」ボタンをクリックして、患者情報および薬剤情報のいずれかを選択（クリック）すると、該当箇所の再読み込み（修正）を行うことができる。
【００４１】
図５に、ホストコンピュータ２０のＤＢ２１に含まれる薬剤データベースにおける薬剤情報の記憶例を示す。上述の容器１に貼着されているラベルに印刷されたバーコード１ａのバーコード番号に関連付けられて、薬剤の品番，製品名，内容量，製造年月日，および使用期限が記憶されている（バーコード２ａ，３ａに対応する薬剤ついても同様）。
【００４２】
図６に、ＩＣチップ４１の記憶部４１ｂにおける薬剤情報の記憶例を示す。読み取ったバーコード番号とともに、ホストコンピュータ２０のＤＢ２１から取得した薬剤情報が記憶されている。薬剤情報としてバーコード番号のみを記憶する構成としてもよい。なお、ユニークコードは、各ＩＣチップに記憶された世界で唯一のコードである。薬剤の混注日時を記憶してもよい。
【００４３】
また、図７に、ＩＣチップ４１の記憶部４１ｂにおける患者情報の記憶例を示す。カルテ番号の他に、患者氏名，病名，処方履歴（処方年月日，処方内容）が記憶されている。カルテ番号のみ、あるいは患者氏名のみを記憶する構成としてもよい。
【００４４】
図８を用いて、薬剤情報照合処理について説明する。なお、本処理は、端末１０のＨＤＤ１０ｃに記憶されたアプリケーションプログラムに含まれ、制御部１０ｄにより実行される。まず、ＲＦＩＤリーダ／ライタ１３により、薬剤容器４に貼付されたＩＣタグ４０のＩＣチップ４１に含まれる記憶部４１ｂから、薬剤情報および患者情報（ＩＣタグ情報という）を読み取る（Ｓ３１、本発明の薬剤情報読出工程に相当）。読み取ったＩＣタグ情報は、ＨＤＤ１０ｃに一時記憶する。
【００４５】
次に、患者情報読取部１２から、図３のステップＳ１１と同様の方法で、患者情報を取得する（Ｓ３２）。このとき、調剤指示情報も取得する。取得した患者情報および調剤指示情報は、ＨＤＤ１０ｃに一時記憶する。
【００４６】
次に、ＩＣチップ４１の記憶部４１ｂから読み取った薬剤情報および患者情報と、患者情報読取部１２から取得した調剤指示情報および患者情報とを照合する（Ｓ３３，本発明の照合工程に相当）。
【００４７】
照合の結果、両者が一致した場合には（Ｓ３４：Ｙｅｓ）、「この薬剤は処方と一致しています」，「この薬剤は患者○○に処方されたものです」のような、両者が一致した旨のメッセージを表示部１０ａに表示し（Ｓ３５）、一致するものがない場合には（Ｓ３４：Ｎｏ）、「この薬剤は処方と一致していません」，「この薬剤は患者○○に処方されたものではありません」のような、両者が一致しない旨のメッセージを表示部１０ａに表示する（Ｓ３６）。
【００４８】
上述の例は、ＩＣタグに患者情報を記憶する構成であるが、ＩＣタグに患者情報を記憶しない構成としてもよい。この場合、図３，図８において患者情報を取得するステップは実行されない。薬剤情報と調剤指示情報とが一致していれば、その薬剤が正しく処方されたものと判定できる。
【００４９】
また、上述の例においては、容器１，２，３に貼着されたラベルにバーコード１ａ，２ａ，３ａが印刷されているが、薬剤情報を記憶したＩＣタグを容器１，２，３に貼着する構成としてもよい。これにより、ホストコンピュータ２０のＤＢ２１に薬剤情報を記憶しておく必要がなくなる。無論、これらＩＣタグの表面に薬剤名，バーコード等を印刷してもよい。
【００５０】
図５の例において、ＩＣタグ４０にバーコード番号のみを記憶する構成としてもよい。この場合、図８の薬剤情報照合処理においては、ＩＣタグ４０から読み取ったバーコード番号と、カルテあるいは処方箋に記載あるいは記憶された調剤指示情報に含まれているバーコード番号とを照合する。
【００５１】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００５２】
１    アンプル型容器
１ａ  バーコード
２，３  円筒状容器
２ａ，３ａ  バーコード
４    薬剤容器
１０    端末
１０ａ  表示部
１０ｂ  入力部
１０ｄ  制御部
１１    バーコード読取部
１２    患者情報読取部
１３    ＲＦＩＤリーダ／ライタ
２０    ホストコンピュータ
４０    ＩＣタグ
４１ａ  制御部
４１ｂ  記憶部
【図１】
2011070429.tif 000003
【図２】
2011070429.tif 000004
【図３】
2011070429.tif 000005
【図４】
2011070429.tif 000006
【図５】
2011070429.tif 000007
【図６】
2011070429.tif 000008
【図７】
2011070429.tif 000009
【図８】
2011070429.tif 000010